(57)【要約】【課題】スプレーガンに多段可変式の機能を持たせ、適切な噴霧量を選択することができる多段可変式スプレーガンを提供する。【解決手段】多段可変式スプレーガンは、１つの蓋３０と、１つの開閉部７０と、１つの接合管５０と、２つの段差と、２本のリブ５３とを備える。開閉部７０は、蓋３０上に旋回可能に配設される。接合管５０は、開閉部７０に挿通され、直線変位可能である。リブ５３は、接合管５０の外側の対称位置に設けられ、リブ５３は、空隙中で滞りなく摺動するか、段差により接合管５０が変位することを防ぐか、接合管５０の行程を高度落差のうちの一つと等しくなるように制限する。【選択図】図１
0003227785.tif 000002
【実用新案登録請求の範囲】
【請求項１】
１つの蓋（３０）と、１つの開閉部（７０）と、１つの接合管（５０）と、２つの段差（７７）と、２本のリブ（５３）と、を備えた、多段可変式スプレーガンであって、
前記開閉部（７０）は、１つの頂端（７５）を有し、前記開閉部（７０）は、前記蓋（３０）上に、旋回可能に配設され、
前記接合管（５０）は、前記開閉部（７０）に挿通され、直線変位可能であり、
前記段差（７７）は、前記開閉部（７０）の内側部（７４）の対称位置に形成されるとともに、２つの空隙（７８５）を離間させ、前記段差（７７）及び前記開閉部（７０）の前記頂端（７５）は、２つ以上の異なる高度落差（７８１，７８２，７８３，７８４）を有し、
前記リブ（５３）は、前記接合管（５０）の外側の対称位置に設けられ、前記リブ（５３）は、前記空隙（７８５）中で滞りなく摺動するか、前記段差（７７）により前記接合管（５０）が変位することを防ぐか、前記接合管（５０）の行程を前記高度落差（７８１，７８２，７８３，７８４）のうちの一つと等しくなるように制限することを特徴とする、多段可変式スプレーガン。
【請求項２】
前記段差（７７）は、前記接合管（５０）が変位することを防ぐ第１の段部（７７１）を有することを特徴とする請求項１に記載の多段可変式スプレーガン。
【請求項３】
前記段差（７７）は、高さがそれぞれ異なる第２の段部（７７２）、第３の段部（７７３）、第４の段部（７７４）及び第５の段部（７７５）を有することを特徴とする請求項２に記載の多段可変式スプレーガン。
【請求項４】
前記開閉部（７０）は、指標（７２）を有することを特徴とする請求項１に記載の多段可変式スプレーガン。
【請求項５】
前記開閉部（７０）の外表面には、１組の凸点（７１）が突設され、前記凸点（７１）のうちの一つが前記蓋（３０）の１つの位置決め部（３５）に係合されることを特徴とする請求項１に記載の多段可変式スプレーガン。
【請求項６】
前記開閉部（７０）は、前記凸点（７１）の両側に位置する２つのストッパ部（７３）を有することを特徴とする請求項５に記載の多段可変式スプレーガン。
【考案の詳細な説明】
【技術分野】
【０００１】
本考案は、噴霧器の分野に関し、特に、多段可変式スプレーガンに関する。
【背景技術】
【０００２】
図１０〜図１２を参照する。図１０〜図１２に示すように、周知のスプレーガン８０は、１つの蓋８１を有する。蓋８１中には、１つのポンプ８２が配設される。蓋８１上には、揺動部材８３が枢着される。揺動部材８３を手で引くと、揺動部材８３により１つのノズル８４が蓋８１に対して駆動し、ノズル８４から霧状の流体が噴霧されるとともに、ポンプ８２を開いて所望の流体を補充する。図１０〜図１２に示すように、ノズル８４が蓋８１の１つの開閉部９０を介し、ノズル８４の外側には２つのリブ８５が突出されている。
【０００３】
上述した開閉部９０は、管体である。管体の外表面には、１つの指標９１及び１組の凸点９２が形成されている。１組の凸点９２のうちの一つは、蓋の１つの位置決め部８６に係合される。上述した開閉部９０の内側には、互いに接続されていない２つの弧形片９３が立設され、２つの直溝９４が開閉部９０の内側に対称に設けられる。弧形片９３がリブ８５の下方に位置する場合、ノズル８４が開閉部９０を通過することを防ぐため、スプレーガン８０は、閉じられて噴霧できない状態となる。
【０００４】
位置決め部８６は、蓋８１の一部である。蓋８１には、ストッパ部８７が設けられる。ストッパ部８７は、位置決め部８６に対向する。開閉部９０は、蓋８１の端面に深く挿入されて１つの制止部９５が突設されている。制止部９５は、ストッパ部８７と組み合わされ、蓋８１に対する開閉部９０の回転角度を制限する。
【０００５】
指標９１を揺動させると、開閉部９０を蓋８１に対して回転させることができるが、制止部９５がストッパ部８７により制限されるため、時計回り又は逆時計回りに９０度回転させても、スプレーガン８０の噴霧機能をオンさせることしかできなかった。また、リブ８５が直溝９４中で滞りなく摺動するため、ノズル８４の噴霧量を調整することは困難であった。
【０００６】
そのため、スプレーガン８０の噴霧量を改善することができる技術が求められていた。
【考案の概要】
【考案が解決しようとする課題】
【０００７】
こうした現状に鑑み、本考案者は鋭意研究を重ねた結果、従来技術の問題点を改善し、本考案を完成させたものである。
【０００８】
本考案の目的は、２つ以上の高度落差が異なる構造を採用し、スプレーガンに多段可変式の機能を持たせ、適切な噴霧量を選択することができる多段可変式スプレーガンを提供することにある。
【課題を解決するための手段】
【０００９】
上記課題を解決するために、本考案の第１の形態によれば、１つの蓋（３０）と、１つの開閉部（７０）と、１つの接合管（５０）と、２つの段差（７７）と、２本のリブ（５３）と、を備えた、多段可変式スプレーガンであって、前記開閉部（７０）は、１つの頂端（７５）を有し、前記開閉部（７０）は、前記蓋（３０）上に、旋回可能に配設され、  前記接合管（５０）は、前記開閉部（７０）に挿通され、直線変位可能であり、前記段差（７７）は、前記開閉部（７０）の内側部（７４）の対称位置に形成されるとともに、２つの空隙（７８５）を離間させ、前記段差（７７）及び前記開閉部（７０）の前記頂端（７５）は、２つ以上の異なる高度落差（７８１，７８２，７８３，７８４）を有し、前記リブ（５３）は、前記接合管（５０）の外側の対称位置に設けられ、前記リブ（５３は、前記空隙（７８５）中で滞りなく摺動するか、前記段差（７７）により前記接合管（５０）が変位することを防ぐか、前記接合管（５０）の行程を前記高度落差（７８１，７８２，７８３，７８４）のうちの一つと等しくなるように制限することを特徴とする、多段可変式スプレーガンが提供される。
【００１０】
前記段差（７７）は、前記接合管（５０）が変位することを防ぐ第１の段部（７７１）を有することが好ましい。
【００１１】
前記段差（７７）は、高さがそれぞれ異なる第２の段部（７７２）、第３の段部（７７３）、第４の段部（７７４）及び第５の段部（７７５）を有することが好ましい。
【００１２】
前記開閉部（７０）は、指標（７２）を有することが好ましい。
【００１３】
前記開閉部（７０）の外表面には、１組の凸点（７１）が突設され、前記凸点（７１）のうちの一つが前記蓋（３０）の１つの位置決め部（３５）に係合されることが好ましい。
【００１４】
前記開閉部（７０）は、前記凸点（７１）の両側に位置する２つのストッパ部（７３）を有することが好ましい。
【考案の効果】
【００１５】
本考案の多段可変式スプレーガンは、２つ以上の高度落差が異なる構造を採用し、スプレーガンに多段可変式の機能を持たせ、適切な噴霧量を選択することができる。
【図面の簡単な説明】
【００１６】
【図１】本考案の一実施形態に係る実線で示されたスプレーガンを点線で示された容器に取付けた状態を示す断面図である。
【図２】本考案の一実施形態に係る多段可変式スプレーガンに組み合わせるポンプの内部構造を示す断面図である。
【図３】本考案の一実施形態に係る蓋と開閉部とを組立てた状態を示す側面図である。
【図４】点線で示された開閉部と実線で示された蓋との対応関係を示す説明図である。
【図５】開閉部を切断して展開した内部構造を示す説明図である。
【図６】本考案の一実施形態に係る実線で示された開閉部と点線で示された接合管との対応関係を示す説明図である。
【図７】本考案の一実施形態に係る開閉部を接合管の周りで揺動させる状態を示す説明図である。
【図８】本考案の一実施形態に係る開閉部を接合管の周りで揺動させる状態を示す説明図である。
【図９】本考案の一実施形態に係る揺動部材が行程終点にあるときのスプレーガンの使用状態を示す説明図である。
【図１０】従来のスプレーガンと一部の部材との対応関係を示す説明図である。
【図１１】従来のスプレーガンと一部の部材との対応関係を示す説明図である。
【図１２】従来のスプレーガンと一部の部材との対応関係を示す説明図である。
【考案を実施するための形態】
【００１７】
図１、図２及び図９を参照する。図１、図２及び図９に基づいて、本考案の一実施形態に係る多段可変式スプレーガンに関して以下簡単に説明する。上述したスプレーガン１０は、１つのポンプ２０を有する。ポンプ２０には、１つの蓋３０が結合される。上述した蓋３０と１つの揺動部材４０とを接続する接続部４１は、１つの支点として用いられ、揺動部材４０が枢着された１つの接合管５０の支杆５４を押点として用い、蓋３０、揺動部材４０及び接合管５０を梃子の接続関係にする。接合管５０はＬ字状管である。Ｌ字状管の一端には、ノズル５１が取り付けられる。ノズル５１は、揺動部材４０の１つの窓口４２から延びる。Ｌ字状管の他端は、１つの開閉部７０に挿通されてポンプ２０に接続される。ポンプ２０と蓋３０との間には、１つの弾性部材６０が配設される。弾性部材６０はポンプ２０を押動し、接合管５０により揺動部材４０を１つの開始位置に常時留めることができる（図１を参照する）。
【００１８】
揺動部材４０が接続部４１で揺動されて開始位置から終点位置に至ると（図９を参照する）、接合管５０によりポンプ２０の容積を変えることができる。そのため、揺動部材４０の揺動幅が接合管５０の行程距離に等しくなり、ポンプ２０の容積の圧縮量が決まる。
【００１９】
上述したポンプ２０（図２を参照する）は、１つの弁体２１を有する。弁体２１は、１つの段差管である。段差管は、一端に１つの大直径部２１１が形成され、他端に１つの小直径部２１２が形成される。１つのテーパー孔２１３は、弁体２１内部に形成され、大小２つの直径部２１１，２１２間に位置する。
【００２０】
ポンプ２０は、１つの逆止弁２２と、１本の弁棒２３と、１つのバルブ２４と、１つの縦管２５と、を有する。上述した逆止弁２２は、弁体２１に取付けられ、テーパー孔２１３を常時閉じる。逆止弁２２は、１つの貫通孔２２１を有する。上述した弁棒２３は、バルブ２４に挿入される。バルブ２４は、一辺が弁棒２３の１つの円錐盤２３１であり、他辺が弁棒２３の縦管２５に結合されているため、バルブ２４が弁棒２３で摺動されても、互いに離れない。弁棒２３及びバルブ２４は、大直径部２１１を介して弁体２１内部に挿入され、縦管２５の１つの環片２５１が弁体２１から突出されている。
【００２１】
また、蓋３０の頂面には、１つの結合リング３２及び１つの内リング３３が形成されている。結合リング３２及び内リング３３は、同心円構造であり、大直径部２１１の内側及び外側をともに囲み、蓋３０を弁体２１に係合させ、ポンプ２０が蓋３０から離れることを防ぐ。
【００２２】
弾性部材６０は、圧縮ばねである。圧縮ばねは、一端が環片２５１に押し当てられ、他端が内リング３３のばね槽３４の底部に当接される。縦管２５が接合管５０に接続されているため、弾性部材６０により接合管５０を駆動させ、揺動部材４０を開始位置に留める。
【００２３】
開始位置にあるとき、円錐盤２３１は、バルブ２４を押動して内リング３３に当接され、バルブ２４は、弁体２１の１つの通気孔２１４を常時閉止する。このときに逆止弁２２からバルブ２４にかけて弁体２１の容積が最大となる。
【００２４】
終始位置にあるとき、縦管２５により弁棒２３が逆止弁２２に近づくとともに、バルブ２４が押動されて通気孔２１４から離れる。このときに逆止弁２２からバルブ２４にかけて弁体２１の容積が最小となり、環片２５１が内リング３３に近づいて弾性部材６０を圧縮させる。
【００２５】
言い換えると、ポンプ２０の容積は、終始位置にあるときに圧縮され、開始位置にあるときに拡張される。
【００２６】
ポンプ２０は、１つの容器１２の内部空間１６に挿入される。蓋３０の１つのねじ部３１が容器１２の１つの出入口１４に螺合されると、ポンプ２０が容器１２の内部空間１６に留まるように支えられる。１本の可撓管１８は、一端が小直径部２１２に接続され、他端が内部空間１６に深く挿入され、容器１２の内容物を案内してポンプ２０に進入させる。ここで内容物とは、液体又は霧状に噴射することができる流体を指す。
【００２７】
終始位置にあるとき、バルブ２４が円錐盤２３１から離れ、弁棒２３の１つの材料排出チャネル２３２が閉止されなくなる。弁体２１の内容物は、材料排出チャネル２３２から接合管５０に流入され、速やかにノズル５１を通って一定の噴霧範囲５２が形成される。
【００２８】
揺動部材４０を緩めると、弾性部材６０が原状回復され、接合管５０を押動して元の位置に戻し、揺動部材４０が終始位置から開始位置に戻る。同時に、ポンプ２０が圧縮容積から拡張容積に変わって吸引力が発生し、逆止弁２２を牽引して弁体２１のテーパー孔２１３から離れると、通気孔２１４を介して容器１２の内外の気圧が連通し、容器１２の内容物が可撓管１８の周りでテーパー孔２１３及び貫通孔２２１を通り、バルブ２４に対応して弁体２１から逆止弁２２が離れ、拡張した容器中に補充される。
【００２９】
ここで、ノズル５１の噴霧量は、ポンプ２０の圧縮容積に等しい上、圧縮容器及び拡張容器が同じであるため、ポンプ２０が容器１２の内容量を汲取る量は、ノズル５１の噴霧量に等しい。噴霧量及び汲取量は、接合管５０の行程を変更することにより決定することができる。
【００３０】
以下、図３〜図８に基づいて、スプレーガンの噴霧量及び汲取量を開閉部７０により変更する方式について説明する。
【００３１】
上述した開閉部７０は円管である。この円管は、結合リング３２に取付けられ、接合管５０の周りで旋回させることができる。開閉部７０の外表面には、１組の凸点７１と、２つのストッパ部７３とが突設されている。これらのストッパ部７３は、１組の凸点７１の両側に位置し、そのうち一つの凸点７１が蓋３０の１つの位置決め部３５に係合される。位置決め部３５は、開閉部７０の１つの指標７２がスプレーガン１０の揺動部材４０に向かうことを制限する（図１を参照する）。
【００３２】
開閉部７０は、接合管５０に対向した一端を頂端７５として用い（図１を参照する）、開閉部７０が結合リング３２に深く挿入される一端に底端７６を形成し、開閉部７０の内側部７４の対称位置に２つの段差７７を形成し（図５を参照する）、これらの段差７７により２つの空隙７８５が形成される。
【００３３】
頂端７５から底端７６に向かう方向で、各段差７７は、第１の段部７７１、第２の段部７７２、第３の段部７７３、第４の段部７７４及び第５の段部７７５をこの順で有する。第１の段部７７１は、段差を有するが、この段差は小さいためここでは考慮しない。第２の段部７７２から開閉部７０の頂端７５までの高度落差７８１は、頂端７５から第３の段部７７３までの高度落差７８２より小さい。同じ道理により、第５の段部７７５の高度落差７８４は、第４の段部７７４の高度落差７８３より大きい。
【００３４】
指標７２は、位置決め部３５の前方に位置する（図６を参照する）。２つの段差７７の第４の段部７７４は、接合管５０外側の対称位置に設けられた２つのリブ５３に対応する。上述したリブ５３は、第４の段部７７４により止められ、接合管５０の直線変位の行程距離を高度落差７８３と等しくし、スプレーガンの噴霧量（又は汲取量）を制御する。
【００３５】
矢印７９１の方向で（図７を参照する）ストッパ部７３が位置決め部３５に当接されるまで、上述した開閉部７０を接合管５０の周りで回転させる。位置決め部３５が凸点７１に係合されると、指標７２が位置決め部３５の一辺に留まるが、このときに２つの段差７７の第１の段部７７１がリブ５３の下方に達し、接合管５０の変位を止めるため、スプレーガンがオフとなり、噴霧できなくなる。
【００３６】
矢印７９２の方向で（図８を参照する）ストッパ部７３が位置決め部３５に当接されるまで、上述した開閉部７０を接合管５０の周りで回転させる。位置決め部３５が凸点７１に係合されると、指標７２が位置決め部３５の他辺に留まるが、このときリブ５３は、２つの段差７７の空隙７８５中で滞りなく滑動し、接合管５０の直線変位の行程が制限を受けないため、スプレーガンを操作して最大の噴霧量（又は汲取量）が得られる。
【００３７】
以上、本考案の実施形態について図面を参照して詳述したが、具体的な構成はこの実施形態に限られるものではなく、本考案の要旨を逸脱しない範囲の設計変更等も含まれる。
【符号の説明】
【００３８】
（従来技術）
８０  スプレーガン
８１  蓋
８２  ポンプ
８３  揺動部材
８４  ノズル
８５  リブ
８６  位置決め部
８７  ストッパ部
９０  開閉部
９１  指標
９２  凸点
９３  弧形片
９４  直溝
９５  制止部
（本考案）
１０  スプレーガン
１２  容器
１４  出入口
１６  内部空間
１８  可撓管
２０  ポンプ
２１  弁体
２２  逆止弁
２３  弁棒
２４  バルブ
２５  縦管
３０  蓋
３１  ねじ部
３２  結合リング
３３  内リング
３４  ばね槽
３５  位置決め部
４０  揺動部材
４１  接続部
４２  窓口
５０  接合管
５１  ノズル
５２  噴霧範囲
５３  リブ
５４  支杆
６０  弾性部材
７０  開閉部
７１  凸点
７２  指標
７３  ストッパ部
７４  内側部
７５  頂端
７６  底端
７７  段差
２１１  大直径部
２１２  小直径部
２１３  テーパー孔
２１４  通気孔
２２１  貫通孔
２３１  円錐盤
２３２  材料排出チャネル
２５１  環片
７７１  第１の段部
７７２  第２の段部
７７３  第３の段部
７７４  第４の段部
７７５  第５の段部
７８１  高度落差
７８２  高度落差
７８３  高度落差
７８４  高度落差
７８５  空隙
７９１  矢印
７９２  矢印
【図１】
0003227785.tif 000003
【図２】
0003227785.tif 000004
【図３】
0003227785.tif 000005
【図４】
0003227785.tif 000006
【図５】
0003227785.tif 000007
【図６】
0003227785.tif 000008
【図７】
0003227785.tif 000009
【図８】
0003227785.tif 000010
【図９】
0003227785.tif 000011
【図１０】
0003227785.tif 000012
【図１１】
0003227785.tif 000013
【図１２】
0003227785.tif 000014